(57)【要約】      （修正有）【課題】両手（片手でもできる。）で軸部の伸縮操作をして印鑑を繰り出すようにし、且簡単な構造として耐久性に優れた印鑑装置とボールペン装置を提供する。【解決手段】先端にバネにより閉蓋しているキャップを設けた外軸筒の中間部より後方に直線的にスライド自在とした内軸筒と、該内軸筒の内側で且つ外軸筒の内側定位置で回転自在な回転軸筒と、外軸筒の中間部より前方に直線的にスライド自在で軸部が回転軸筒の内側に位置し印鑑を着脱自在としたホルダー(芯ホルダ)と、内軸筒の後方に設けた天冠に固定し該ホルダーの後端部で係止自在のスライダーとよりなり、回転軸筒の回転をホルダーの直線的な運動に変換自在として、ホルダー先端に設けた印鑑をキャップの押圧力に抗して開蓋自在とし、或は芯ホルダーに設けたボールペンリフィルの芯先を口金より出没自在とした繰り出し式印鑑装置及びボールペン装置である。【選択図】図１
2005225014.tif 000002
【特許請求の範囲】
【請求項１】
先端に常時バネにより閉蓋しているキャップを設けた外軸筒と、外軸筒の中間部より後方に直線的にスライド自在とした内軸筒と、該内軸筒の内側で且つ外軸筒の内側定位置で回転自在な回転軸筒と、外軸筒の中間部より前方に直線的にスライド自在で軸部が回転軸筒の内側に位置し印鑑を着脱自在としたホルダーと、内軸筒の後方に設けた天冠に固定しホルダーの軸部の内側をスライドし該ホルダーの後端部で係止自在のスライダーとよりなり、回転軸筒の表面にはねじ溝が設けてあって内軸筒のねじ突起が嵌合して内軸筒の外軸筒への伸縮操作により回転軸筒を回転自在としてあり、ホルダーの軸部の表面には繰り出しねじ溝が設けてあって回転軸筒の内側先端部に設けた繰り出し突起が嵌合しており、回転軸筒の回転をホルダーの直線的な運動に変換自在として、ホルダー先端に設けた印鑑をキャップの押圧力に抗して開蓋自在とした繰り出し式印鑑装置。
【請求項２】
先端に着脱自在の口金を設けた外軸筒と、外軸筒の中間部より後方に直線的にスライド自在とした内軸筒と、該内軸筒の内側で且つ外軸筒の内側定位置で回転自在な回転軸筒と、内軸筒の後方に設けた天冠に固定し回転軸筒の内側をスライドし後述の芯ホルダーの後端部で係止自在のスライダーと、外軸筒の中間部より前方に直線的にスライド自在で軸部が回転軸筒とスライダーの内側に位置しボールペンリフィルを着脱自在とした芯ホルダーとよりなり、回転軸筒の表面にはねじ溝が設けてあって内軸筒のねじ突起が嵌合して内軸筒の外軸筒への伸縮操作により回転軸筒を回転自在としてあり、芯ホルダーの軸部の表面には繰り出しねじ溝が設けてあって回転軸筒の内側先端部に設けた繰り出し突起が嵌合しており、回転軸筒の回転を芯ホルダーの直線的な運動に変換自在として、ボールペンリフィルの芯先を口金より出没自在とした繰り出し式ボールペン装置。
【請求項３】
ホルダー或は芯ホルダーの軸部に設けた繰り出しねじ溝の端部位置には平坦なロック溝を設けておいて繰り出し突起とのすべりを悪くし、不用意な収縮を防止自在とした請求項１及び２記載の繰り出し式印鑑装置及びボールペン装置。
【発明の詳細な説明】
【技術分野】
【０００１】
本発明は握持する軸部分をねじ式によって伸縮させ、その伸縮操作によって印鑑、或は芯先を出没自在とする繰り出し式の印鑑装置とボールペン装置に関する。
【背景技術】
【０００２】
従来印鑑装置としては、軸部分を両手で持ってキャップを外して押捺するものとか、印鑑付きの筆記具にあっては、クリップに上下にスライドさせる操作部を設け、この操作部のスライドに従って印鑑のキャップを開閉させるもの等がある。
【０００３】
然し乍、前者にあっては両方の手を使ってキャップの開閉操作をしなければならない不便があり、又後者にあっては構造が複雑でコスト高となる。
【０００４】
またボールペン装置にあっては、軸部を伸縮させながら、芯先を口金より出没させる伸縮式ボールペンはあるが、これらは軸部の引き伸ばし動作に応じて口金の先端より摺動先金を突出させて芯先を隠蔽させるものであり、これらは押し棒、コイルバネなどの部品数、加工数、組み立て工程も多くなり、構造的にも複雑になって高価なものとなる虞がある。
【発明の開示】
【発明が解決しようとする課題】
【０００５】
そこで本発明は、両手（片手でもできる。）で軸部の伸縮操作をして印鑑或はボールペンの芯先を繰り出すようにし、且部品数の少ない簡単な構造として耐久性の優れた印鑑装置とボールペン装置を提供しようとするものである。
【課題を解決するための手段】
【０００６】
まず印鑑装置としては、先端に常時バネにより閉蓋しているキャップを設けた外軸筒と、外軸筒の中間部より後方に直線的にスライド自在とした内軸筒と、該内軸筒の内側で且つ外軸筒の内側定位置で回転自在な回転軸筒と、外軸筒の中間部より前方に直線的にスライド自在で軸部が回転軸筒の内側に位置し印鑑を着脱自在としたホルダーと、内軸筒の後方に設けた天冠に固定しホルダーの軸部の内側をスライドし該ホルダーの後端部で係止自在のスライダーとよりなり、回転軸筒の表面にはねじ溝が設けてあって内軸筒のねじ突起が嵌合して内軸筒の外軸筒への伸縮操作により回転軸筒を回転自在としてあり、ホルダーの軸部の表面には繰り出しねじ溝が設けてあって回転軸筒の内側先端部に設けた繰り出し突起が嵌合しており、回転軸筒の回転をホルダーの直線的な運動に変換自在として、ホルダー先端に設けた印鑑をキャップの押圧力に抗して開蓋自在とした繰り出し式印鑑装置である。
【０００７】
ボールペン装置では、前記の外軸筒は先端に着脱自在の口金を設けてあり、また前記ホルダーは芯ホルダーとしてボールペンリフィルを挿入自在となっており、スライダーは回転軸筒の内側に位置させてある。
【発明の効果】
【０００８】
本発明の効果として、印鑑本体或はボールペンの軸部の伸縮操作で印鑑を繰り出すことができ、しかも簡単な構造で耐久性に富み安価に提供でき、且つ組立作業が迅速にできる。
【実施例１】
【０００９】
先ず印鑑装置に関しては、先端の開口部１２をピン１０、バネ１１を介して常時閉蓋しているキャップ１を設けた外軸筒２と、外軸筒２の中間部より後方に直線的にスライド自在とした内軸筒６とがあり、外軸筒１の後部内側には軸線方向の案内溝１４が設けており、この案内溝１４に内軸筒６の基端部外側に設けた案内突起１５が嵌合していて内軸筒６が直線的に前後に移動するようになっている。
【００１０】
更に、内軸筒６の内側で且つ外軸筒２の中間内側の定位置で回転自在な回転軸筒４が設けているが、回転軸筒４の基端は抜け止めリング５を介して外軸筒２の内側に回転自在に取り付けられている。
【００１１】
次に、外軸筒２の中間部より前方に直線的にスライド自在で軸部３’が回転軸筒４の内側に位置し印鑑９を着脱自在としたホルダー３を設けてあるが、ホルダー３の外側に設けた突起１６と外軸筒２の内側に設けた軸線方向の溝１７とが走行自在に嵌合して、ホルダー３を前後に直線的に移動するようにしてある。
【００１２】
次に、内軸筒６の後方に設けた天冠８に固定しホルダー３の軸部３’の内側をスライドし該ホルダー３の後端部で互いの係止突条１８，１８’が係止自在となるスライダー７が設けてある。
【００１３】
回転軸筒６の表面にはねじ溝１９が設けてあって、内軸筒６のねじ突起２０が嵌合して内軸筒６の外軸筒２への伸縮操作によりねじ突起２０がねじ溝19に沿って移動し、同時に案内突起１５が案内溝１４を移動し、回転軸筒４が回転する様になっている。
【００１４】
一方、ホルダー３の軸部３’の表面には前記ねじ溝１９とは反対方向の繰り出しねじ溝２１が設けてあって回転軸筒４の内側先端部に設けた繰り出し突起２２が嵌合しており、回転軸筒４の回転により繰り出し突起２２が移動するようになっている。
【００１５】
図中１３は、各ねじ溝１９、２１端部に連続して設けた侵入溝で、組み立てに際し対応する突起２０，２２が侵入するためのものである、又ホルダー３の軸部３’に設けた繰り出しねじ溝２１の端部位置には平坦なロック溝２１’を設けておいて繰り出し突起２２とのすべりを悪くし、不用意な収縮をなくすためのものである。これらの侵入溝１３、ロック溝２１’の機構は後述のボールペン装置にも実施できる。
【作用】
【００１６】
本発明は以上のように構成されるもので、図１の縮小状態から図２の伸張状態にするには天冠８、或いは内軸筒６をもって後方に引くことによりねじ突起２０がねじ溝１９を移動し、同時に回転軸筒４が回転し、繰り出し突起２２が繰り出しねじ溝２１を移動してホルダー３を前方に繰り出し、キャップ１をバネ１１の押圧力に抗して開き押捺作業をする。このときホルダー３は突起１６と案内溝１７により回転が止まっていて直線的に移動するので印鑑９の前後の位置は常に変わらず正確な押捺作業ができる。
【００１７】
図２の伸張状態から図１の縮小状態にするには上記と反対の作動をすればよい。
【００１８】
組み合わせに際しても各部品ごとに挿入、接着作業のみで迅速に行うことができる。
【００１９】
図９〜図１１のボールペン装置の実施例にあっては、前記印鑑装置の外軸筒２はボールペン仕様の大きさになっていて(全体がボールペン仕様の大きさに変更されている。)、キャップ１等は外してあり、この外軸筒２の先端には着脱自在の口金３０を設けており、また印鑑装置での前記ホルダー３は芯ホルダー３としてボールペンリフィル３１を挿入自在となっており、スライダー７は回転軸筒４の内側に位置させてある。図中３２はボールペンリフィル３１と連通する小孔３３を設けた抜け止めリングで、スライダー７の先端と掛止する。
【００２０】
このボールペン装置を使用するには、まず、図９の縮小状態から図１０の伸張状態にするには天冠８、或いは内軸筒６をもって後方に引くことによりねじ突起２０がねじ溝１９を移動し、同時に回転軸筒４が回転し、繰り出し突起２２が繰り出しねじ溝２１を移動してホルダー３を前方に繰り出し、口金３０の先端よりボールペンリフィル３１の先端を露呈させ、筆記状態にする。
【図面の簡単な説明】
【００２１】
【図１】本発明に係る繰り出し式印鑑装置の縮小時の断面説明図
【図２】同伸張時の断面説明図
【図３】回転軸筒の分解正面説明図
【図４】同側面説明図
【図５】同背面説明図
【図６】ホルダーの分解正面図
【図７】同側面図
【図８】同背面説明図
【図９】繰り出し式ボールペン装置の縮小時の断面説明図
【図１０】同伸張時の断面説明図
【符号の説明】
【００２２】
１：キャップ
２：外軸筒
３：ホルダー
３’：軸部
４：回転軸筒
５：抜け止めリング
６：内軸筒
７：スライダー
８：天冠
９：印鑑
１０：ピン
１１：バネ
１２：開口部
１３：侵入溝
１４：案内溝
１５：案内突起
１６：突起
１７：溝
１８、１８’：係止突条
１９：ねじ溝
２０：ねじ突起
２１：繰り出しねじ溝
２１’：ロック溝部
２２：繰り出し突起
３０：口金
３１：ボールペンリフィル
３２：抜け止めリング
３３：小孔
【図１】
2005225014.tif 000003
【図２】
2005225014.tif 000004
【図３】
2005225014.tif 000005
【図４】
2005225014.tif 000006
【図５】
2005225014.tif 000007
【図６】
2005225014.tif 000008
【図７】
2005225014.tif 000009
【図８】
2005225014.tif 000010
【図９】
2005225014.tif 000011
【図１０】
2005225014.tif 000012